【事件の表示】
　特願２０１５−５４０４０５「画像表示装置および画像表示方法」拒絶査定不服審判事件〔平成２７年　４月　９日国際公開、ＷＯ２０１５／０４９８９９〕について、次のとおり審決する。
【結　論】
　本件審判の請求は、成り立たない。
【理　由】
第１　経緯
１　経緯
　本件出願は、２０１４年（平成２６年）６月１７日（優先権主張２０１３年１０月１日、日本国）を国際出願日とする出願であって、その手続の経緯は、以下のとおりである。
　　
　平成２７年　８月２６日：手続補正
　平成２７年１１月　２日：拒絶理由の通知
　平成２７年１２月１６日：手続補正
　平成２８年　２月２４日：拒絶査定
　平成２８年　２月２６日：拒絶査定の謄本の送達
　平成２８年　５月１３日：拒絶査定不服審判の請求
　平成２８年　５月１３日：手続補正
　　
２　査定の概要
　原査定の理由は、概略、次のとおりである。
　　
［査定の理由］
　この出願の請求項１〜５、７、８に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　　　　　　　　　　　記
　引用文献１：特開２０１３−１３５３９８号公報
　引用文献２：特開２００９−２６０６９１号公報
　引用文献３：特開２０１２−１６９７２３号公報（周知技術）
　引用文献４：特開２０１３−１８３２４４号公報
　引用文献５：特開２０１１−１３５３７６号公報（周知技術）
　引用文献６：特開２０１３−７４３０１号公報（周知技術）
　引用文献７：特開２０１０−２７１７７４号公報（周知技術）
　　
第２　補正却下の決定
　平成２８年５月１３日付けの手続補正について次のとおり決定する。
 　 
［補正却下の決定の結論］
　平成２８年５月１３日付けの手続補正を却下する。
　　
［理由］
１　補正の内容
　平成２８年５月１３日付けの手続補正（以下「本件補正」という。）は、特許請求の範囲についてする補正を含む補正である。
（下線は補正箇所を示す。）
　　
　補正前の請求項１〜８
「　【請求項１】
　撮像した静止画または動画の画像を表示する表示部と、
　上記表示部の表示画面上へのタッチ操作による圧力、位置変化、方向、速度の少なくとも１つを検出する操作入力検出部と、
　上記表示部に表示された画像の一部の位置を選択する画像位置選択部と、
　上記画像位置選択部によって選択された画像位置と、上記操作入力検出部で検出された位置変化および方向の少なくとも１つに基づいて選択された画像領域を主被写体画像領域として認識する画像識別部と、
　上記選択された主被写体画像領域の少なくとも一部を除く領域に対して特殊効果画像処理を施す特殊画像処理部と、
　を有し、
　上記特殊画像処理部は、上記操作入力検出部で検出された上記主被写体画像領域から画面周辺方向へのタッチ操作の圧力および速度の少なくとも１つに応じて特殊効果処理強度を変化させる、
　ことを特徴とする画像表示装置。
　　【請求項２】
　上記特殊画像処理部は、上記主被写体画像領域以外の画面周辺領域に特殊効果画像処理を施すことを特徴とする請求項１に記載の画像表示装置。
　　【請求項３】
　上記操作入力検出部は、上記タッチ操作の複数の操作のうち、上記画像領域の一部を固定する指示と、上記画像領域の一部を変更する指示をそれぞれ検出することを特徴とする請求項１に記載の画像表示装置。
　　【請求項４】
　上記操作入力検出部は、上記タッチ操作の複数の操作に基づき、上記特殊効果画像処理を時間に応じて変化させることを特徴とする請求項１に記載の画像表示装置。
　　【請求項５】
　上記操作入力検出部は、上記タッチ操作が所定の位置で検出された場合に、上記特殊効果画像処理をキャンセルすることを特徴とする請求項１に記載の画像表示装置。
　　【請求項６】
　上記主被写体画像領域が設定された場合に、上記特殊効果画像処理部は、上記画像からズーミングが行われた画像として複数の大きさの画像を切り出し、この切り出された複数の画像を同じ大きさとなるように処理した後に合成した画像を生成することを特徴とする請求項１に記載の画像表示装置。
　　【請求項７】
　撮像した静止画または動画の画像を表示部に表示する表示ステップと、
　上記表示部の表示画面上へのタッチ操作による圧力、位置変化、方向、速度の少なくとも１つを検出する操作入力検出ステップと、
　上記表示部に表示された画像の一部の位置を選択する選択ステップと、
　上記選択された画像位置と、上記操作入力検出ステップで検出された位置変化および方向の少なくとも１つに基づいて選択された画像領域を主被写体画像領域として認識する認識ステップと、
　上記選択された主被写体画像領域の少なくとも一部を除く領域に対して特殊効果画像処理を施す特殊画像処理ステップと、
　を有し、
　上記特殊画像処理ステップは、上記操作入力検出ステップで検出された上記主被写体画像領域から画面周辺方向へのタッチ操作の圧力、速度の少なくとも１つに応じて特殊効果処理強度を変化させる、
　ことを特徴とする画像表示方法。
　　【請求項８】
　撮像した静止画または動画の画像を表示部に表示する表示ステップと、
　上記表示部の表示画面上へのタッチ操作による圧力、位置変化、方向、速度の少なくとも１つを検出する操作入力検出ステップと、
　上記表示部に表示された画像の一部の位置を選択する選択ステップと、
　上記選択された画像位置と、上記操作入力検出ステップで検出された位置変化および方向の少なくとも１つに基づいて選択された画像領域を主被写体画像領域として認識する認識ステップと、
　上記選択された主被写体画像領域の少なくとも一部を除く領域に対して特殊効果画像処理を施す特殊画像処理ステップと、
　を有し、
　上記特殊画像処理ステップは、上記操作入力検出ステップで検出された圧力および速度の少なくとも１つに応じて特殊効果処理強度を変化させる、
　ことを実行させるためのプログラムを記録したコンピュータ読み取り可能な記録媒体。」
　　
を、次のとおり補正後の請求項１〜８に補正するものである。
　　
「　【請求項１】
　撮像した静止画または動画の画像を表示する表示部と、
　上記表示部の表示画面上へのタッチ操作による
タッチ位置を検出すると共に、
　上記表示部に表示された画像の一部の位置を選択する画像位置選択部と、
　
予め設定されている形状と、
上記タッチ位置の２つの位置
、上記形状となるように
選択し、この選択された画像領域を
　上記
認識
　を有し、
　上記特殊画像処理部は、上記操作入力検出部で検出された上記主被写体画像領域から画面周辺方向へのタッチ操作の圧力および速度の少なくとも１つに応じて特殊効果処理強度を変化させる、
　ことを特徴とする画像表示装置。
　　【請求項２】
　上記特殊画像処理部は、上記主被写体画像領域以外の画面周辺領域に特殊効果画像処理を施すことを特徴とする請求項１に記載の画像表示装置。
　　【請求項３】
　上記操作入力検出部は、上記タッチ操作の複数の操作のうち、上記画像領域の一部を固定する指示と、上記画像領域の一部を変更する指示をそれぞれ検出することを特徴とする請求項１に記載の画像表示装置。
　　【請求項４】
　上記操作入力検出部は、上記タッチ操作の複数の操作に基づき、上記特殊効果画像処理を時間に応じて変化させることを特徴とする請求項１に記載の画像表示装置。
　　【請求項５】
　上記操作入力検出部は、上記タッチ操作が所定の位置で検出された場合に、上記特殊効果画像処理をキャンセルすることを特徴とする請求項１に記載の画像表示装置。
　　【請求項６】
　上記主被写体画像領域が設定された場合に、上記特殊効果画像処理部は、上記画像からズーミングが行われた画像として複数の大きさの画像を切り出し、この切り出された複数の画像を同じ大きさとなるように処理した後に合成した画像を生成することを特徴とする請求項１に記載の画像表示装置。
　　【請求項７】
　撮像した静止画または動画の画像を表示部に表示する表示ステップと、
　上記表示部の表示画面上へのタッチ操作による
タッチ位置を検出すると共に、
　上記表示部に表示された画像の一部の位置を選択する選択ステップと、
　
予め設定されている形状と、
上記タッチ位置の２つの位置
、上記形状となるように
選択し、この選択された画像領域を
　上記
認識
　を有し、
　上記特殊画像処理ステップは、上記操作入力検出ステップで検出された上記主被写体画像領域から画面周辺方向へのタッチ操作の圧力、速度の少なくとも１つに応じて特殊効果処理強度を変化させる、
　ことを特徴とする画像表示方法。
　　【請求項８】
　撮像した静止画または動画の画像を表示部に表示する表示ステップと、
　上記表示部の表示画面上へのタッチ操作による
タッチ位置を検出すると共に、
　上記表示部に表示された画像の一部の位置を選択する選択ステップと、
　
予め設定されている形状と、
上記タッチ位置の２つの位置
上記形状となるように
　上記
認識
　を有し、
　上記特殊画像処理ステップは、上記操作入力検出ステップで検出された圧力および速度の少なくとも１つに応じて特殊効果処理強度を変化させる、
　ことを実行させるためのプログラムを記録したコンピュータ読み取り可能な記録媒体。」
　　
２　補正の適合性 
（１）新規事項、発明の特別な技術的特徴の変更、補正の目的 
　本件補正は、補正前の請求項１における「操作入力検出部」が「タッチ位置を検出する」ことを限定し、「画像識別部」が、さらに、「タッチ位置の２つの位置」に基づいて「予め設定されている形状となるように」画像領域を「選択し」、「この選択した画像領域を」主被写体画像領域として認識するように限定し、「上記選択された主被写体画像領域」を「上記認識された主被写体画像領域」とするものである。
　さらに、本件補正は、補正前の請求項７、８における「操作入力検出ステップ」が「タッチ位置を検出する」ことを限定し、「認識ステップ」が、さらに、「タッチ位置の２つの位置」に基づいて「予め設定されている形状となるように」画像領域を「選択し」、「この選択した画像領域を」主被写体画像領域として認識するように限定し、「上記選択された主被写体画像領域」を「上記認識された主被写体画像領域」とするものである。
　「タッチ位置を検出する」ことは、願書に最初に添付した明細書の段落【００３４】に記載されており、「タッチ位置の２つの位置」に基づいて「予め設定されている形状となるように」画像領域を「選択」することは、願書に最初に添付した明細書の段落【００４４】〜【００４８】、【００５３】、【００７０】に記載されており、「上記選択された主被写体画像領域」を「上記認識された主被写体画像領域」とすることは、誤記の訂正である。
　したがって、本件補正は、願書に最初に添付した明細書、特許請求の範囲又は図面に記載した事項の範囲内のものであり、新たな技術事項を導入するものでなく、特許請求の範囲を減縮、誤記の訂正を目的とするものである。
　　
（２）独立特許要件 
　上記のとおり本件補正は特許請求の範囲の減縮を目的としているので、本件補正後における発明が特許出願の際独立して特許を受けることができるものであるか否かを、以下に検討する。
 　 
（３）補正後発明 
　補正後の請求項１〜８に係る発明のうち請求項１に係る発明は、次のとおりのものである（この発明を以下「補正後発明」という。）。
　　
（補正後発明）
「（Ａ）撮像した静止画または動画の画像を表示する表示部と、
（Ｂ）上記表示部の表示画面上へのタッチ操作によるタッチ位置を検出すると共に、圧力、位置変化、方向、速度の少なくとも１つを検出する操作入力検出部と、
（Ｃ）上記表示部に表示された画像の一部の位置を選択する画像位置選択部と、
（Ｄ）予め設定されている形状と、上記画像位置選択部によって選択された画像位置と、上記操作入力検出部で検出された上記タッチ位置の２つの位置に基づいて、上記形状となるように画像領域を選択し、この選択された画像領域を主被写体画像領域として認識する画像識別部と、
（Ｅ）上記認識された主被写体画像領域の少なくとも一部を除く領域に対して特殊効果画像処理を施す特殊画像処理部と、
　を有し、
（Ｆ）上記特殊画像処理部は、上記操作入力検出部で検出された上記主被写体画像領域から画面周辺方向へのタッチ操作の圧力および速度の少なくとも１つに応じて特殊効果処理強度を変化させる、
（Ｇ）ことを特徴とする画像表示装置。」
　　
（（Ａ）〜（Ｇ）は、当審で付与した。以下各構成要件を「構成要件Ａ」等という。）
　　
（４）引用文献の記載及び引用文献に記載された発明
ア　引用文献１
（ア）引用文献１の記載
　原査定の拒絶の理由に引用された特開２０１３−１３５３９８号公報（上記引用文献１、以下「引用文献１」という。）には、「画像合成装置」（発明の名称）に関し、図面と共に次に掲げる事項が記載されている（下線は当審で付与した。）。
　　
「【０００９】
　以下、図面を参照して本発明の実施形態を説明する。
　図１は、本発明の一実施形態に係る画像合成装置を備えた撮像装置の構成を示す図である。図１は、本実施形態をレンズ交換式のデジタルカメラに適用した場合の構成例である。したがって、撮像装置１は、交換レンズ１００と、本体２００と、を有している。
撮像装置
　　
「【００１９】
　また、本体２００は、撮像部２０２と、顏検出部２０４と、
画像処理部
表示部
タッチ操作部
制御部
【００２０】
　撮像部２０２は、撮像素子、Ａ／Ｄ変換回路等を有している。撮像素子は、画素としての光電変換素子が２次元状に配置された受光面を有して構成されている。それぞれの画素は、撮影レンズ１０２を介して結像された被写体の像を電気信号（画像信号）に変換する。また、撮像素子は、電子シャッタ機能によって露光量を調節する。撮像素子の露光動作は、制御部２１６によって制御される。Ａ／Ｄ変換回路は、
撮像素子で得られた画像信号を
画像データに変換する
　　
「【００２２】
　画像処理部２０６は、画像データに対して画像処理を施す。画像処理部２０６が施す画像処理は、ホワイトバランス補正処理及びγ補正処理等の画像データに対応した画像を表示部２０８に表示させるために必要な各種の処理、並びに圧縮処理、伸張処理等が含まれる。また、画像処理部２０６は、合成部を有している。合成部は、選択部を含む画像データと背景部を含む画像データとを合成して１枚の合成画像データを生成する。
選択部は、画像データにおける主要被写体の領域
背景部は
選択部以外の領域
【００２３】
　
表示部
は
画像データに基づく画像
表示する
　　
「【００２６】
　
タッチ操作部
表示部
の表示画面の上に形成され
接触位置を検出する
タッチ操作部
により、ユーザによるタッチ操作を検出する
　　
「【００２８】
　さらに、制御部２１６は、領域分割部、パラメータ設定部としての機能も有している。領域分割部としての機能は、画像データを選択部と背景部とに分割する機能である。領域分割部の機能が、画像データにおける選択部の位置を特定しておくだけの機能であっても良い。パラメータ設定部としての機能は、選択部又は背景部に対して行う視認性低下処理の際の処理パラメータを設定する。詳細については後述するが、本実施形態では、プライバシーの保護を目的として、選択部と
背景部
の視認性を低下させる
　　
「【００３３】
　ステップＳ１０２において、撮像装置１の動作モードが撮影モードであると判定した場合に、制御部２１６は、ライブビュー表示動作を行う（ステップＳ１０３）。ライブビュー表示動作において、制御部２１６は、撮像部２０２を予め定められたフレームレートで連続動作させ、この連続動作によって撮像部２０２から逐次得られる画像データを画像処理部２０６に入力する。そして、
制御部
は、画像処理部
において表示用の画像処理がなされた画像データを表示部
に入力することにより、撮像部
にリアルタイムで表示させる
　　
「【００３６】
　次に、制御部２１６は、タッチ操作部２１４の出力から、ユーザによりタッチ操作がなされたか否かを判定する（ステップＳ１０５）。タッチ操作とは、ユーザが、表示部２０８の表示画面上の特定の位置に指等を接触させる操作を言う。なお、ユーザの指等が既に接触している場合にはタッチ操作がなされていないと判定する。
【００３７】
　ステップＳ１０５において、
ユーザによりタッチ操作がなされたと判定した場合に
制御部
ユーザによりタッチ操作がなされた表示画面上の位置に選択表示を行う
【００３８】
　選択表示は、表示画面上の選択部の位置をユーザに明示するための表示である。図３（ａ）に示すようにして表示画面上の主要被写体（人物）の位置に、ユーザの指Ｆが接触した場合に、
選択表示として
選択枠
を表示させる
予め定めた範囲
画像データにおける選択部と背景部
　　
「【００４１】
　また、ステップＳ１０５において、タッチ操作がなされていないと判定した場合に、制御部２１６は、選択部が選択済みであるか、即ちタッチ操作がなされた後であるか否かを判定する（ステップＳ１０９）。ステップＳ１０９において、選択部が選択済みであると判定した場合に、制御部２１６は、
ユーザにより選択部の範囲変更の操作がなされたか否かを判定する
範囲変更の操作は
選択部
に対してタッチ操作がなされている状態で、接触位置を時間的に変化させる操作（スライド操作と言う）である
選択枠
に対して矢印Ａ方向のスライド操作
【００４２】
　ステップＳ１１０において、範囲変更の操作がなされたと判定した場合に、制御部２１６は、
ユーザによる範囲変更の操作に従って選択部の範囲を変更する
スライド操作
このような範囲変更の処理を経て、最終的な選択部の選択が行われる
これにより、画像データが選択部と背景部とに分割される
【００４３】
　範囲変更の操作がなされていない場合又は範囲変更を行った後、制御部２１６は、背景部を変更するか、即ち背景部に対して視認性を低下させる処理を行うか否かを判定する（ステップＳ１１２）。例えば、ステップＳ１１０又はＳ１１１の後、制御部２１６は、図４（ａ）に示すような２つのソフトウェアボタン３０６及び３０８を表示部２０８に表示させる。背景除去ボタン３０６は、
ユーザが背景部に対して視認性を低下させる処理を行う
　　
「【００４７】
　なお、
画像の視認性
は、ユーザの好みによって変更できるようしても良い
タッチ操作部
の操作を受けて
背景部の画像データにおけるコントラスト、透明度、彩度等を変更する画像処理を
行うようにしても良い
　　
「【００６５】
　［変形例］
　以下、本実施形態の変形例について説明する。　
　前述の例では、タッチ操作部２１４によって選択部の選択を行うようにしているが、
選択部を自動で検出するようにしても良い
　　
「【００６９】
　この他、
画像データにローパスフィルタ処理を掛ける等してぼかすようにしても良い
背景部
を切り出してからその部分をぼかすようにしても良い
　　
（イ）引用文献１に記載された発明
　引用文献１には、『撮像装置』（段落【０００９】）が記載されており、「表示部」、「タッチ操作部」、「制御部」、「画像処理部」を有している（段落【００１９】）。
　『表示部』は、『撮像した画像を表示する』（段落【００２０】、【００２３】）。
　『タッチ操作部』は、『表示部の表示画面上に形成され、接触位置を検出し、ユーザのタッチ操作を検出する』（段落【００２６】）。
　『制御部』は、『ユーザによりタッチ操作がなされた表示画面上の位置に選択表示として、予め定めた範囲の選択枠を表示させ』（段落【００３７】、【００３８】）、『選択枠に対してタッチ操作がなされている状態で、スライド操作を行うと、選択枠の範囲を変更し、選択表示により選択部を選択する』（段落【００４１】、【００４２】）。ここで、「選択部」は、『画像データにおける主要被写体の領域』である（段落【００２２】）
　『画像処理部』は、『背景部の視認性を低下させる処理を施す』（段落【００２８】、【００３３】、【００６９】）。ここで、「背景部」は、『選択部以外』のものである（段落【００２２】、【００３８】、【００４２】）。
　また、『画像処理部』は、『タッチ操作部の操作を受けて、ユーザの好みによって背景部の画像データにおけるコントラスト、透明度、彩度等を変更する画像処理を行う』（段落【００４７】）。
　　
　以上より、引用文献１には、次の発明が記載されていると認められる。以下この発明を「引用発明」という。
　　
（引用発明）
「（ａ）撮像した画像を表示する表示部と、
（ｂ）表示部の表示画面上に形成され、接触位置を検出し、ユーザのタッチ操作を検出するタッチ操作部と、
（ｃ-1）ユーザによりタッチ操作がなされた表示画面上の位置に選択表示として、予め定めた範囲の選択枠を表示させ、
（ｃ-2）選択枠に対してタッチ操作がなされている状態で、スライド操作を行うと、選択枠の範囲を変更し、
（ｃ-3）選択表示により選択部を選択する
（ｃ）制御部であって、選択部は画像データにおける主要被写体の領域である、制御部と、
（ｄ）画像データのうち、選択表示された選択部以外の背景部の視認性を低下させる処理を施す画像処理部とを有し、
（ｅ）上記画像処理部は、タッチ操作部の操作を受けて、ユーザの好みによって背景部の画像データにおけるコントラスト、透明度、彩度等を変更する画像処理を行う、
（ｆ）ことを特徴とする撮像装置。」
　　
（（ａ）〜（ｆ）は、引用発明の構成を区別するために付与した。以下各構成を「構成ａ」等という。）
　　
イ　周知技術
　原査定の拒絶の理由に周知技術として引用された特開２０１０−２７１７７４号公報（上記引用文献７）の段落【０１６３】〜【０１６７】に記載されているように、『タッチパネルにおける指の移動速度に応じて制御量を設定する』ことは周知技術である。
　　
ウ　引用文献Ａ
（ア）引用文献Ａの記載
　特開２００８−２８４５４号公報（以下「引用文献Ａ」という。）には、「撮像装置」（発明の名称）に関し、図面と共に次に掲げる事項が記載されている（下線は当審で付与した。）。
　　
「【００３５】
　ここで、
範囲を指定する
液晶画面１７０１上のカーソル（十字マーク）を十字キー１８０３で移動させて中心と半径を指定して円形状を決定
【００３６】
　また、形状の角を指定して多角形状を決定してもよい。また、画面を２分するような場合は、２点を指定して２分させることを決定してもよい。たとえば、図１０（Ｂ）に示すように、角に相当する4点を指定して台形形状を決定すればよい。ここで、図１０（Ａ）及び図１０（Ｂ）に示す矢印は、指定した範囲内を十時キー１８０３によりボケ画像とするか合焦画像とするかの選択、及び／又は指定した範囲を移動させることを示したものである。」
　　
「【図１０】
」
　　
（イ）引用文献Ａに記載された技術
　段落【００３５】には、中心と半径を指定して円形状の範囲を指定することが記載されている。
　また、中心と２つの半径を指定して、楕円形状を決定することも記載されている。図１０（Ａ）をみると、３つの十字キーの近くに
○１
○２
○３
○１
○２
○３
　そうすると、中心と半径を指定することは、２つの点を指定することにより円形状の範囲を指定することと認められる。
　したがって、引用文献Ａには、『２つの点を指定することにより円形状の範囲を指定する』技術が記載されている。
　　
（５）対比
ア　補正後発明と引用発明との対比
　補正後発明と引用発明とを対比する。
　　
（ア）構成要件Ａと構成ａとを対比する。
　引用発明における「撮像した画像」は、補正後発明の「撮像した静止画または動画の画像」に相当する。
　したがって、補正後発明と引用発明とは「撮像した静止画または動画の画像を表示する表示部」を有する点で一致する。
　　
（イ）構成要件Ｂと構成ｂ、ｃ-2とを対比する。
　引用発明の「タッチ操作部」は、「表示部の表示画面上に形成され、接触位置を検出」（構成ｂ）するから、「上記表示部の表示画面上へのタッチ操作によるタッチ位置を検出する」「操作入力検出部」といえる。
　また、引用発明は、スライド操作を検出できる（構成ｃ-2）から、位置変化を検出できるといえる。
　したがって、補正後発明と引用発明とは「上記表示部の表示画面上へのタッチ操作によるタッチ位置を検出すると共に、圧力、位置変化、方向、速度の少なくとも１つを検出する操作入力検出部」を有する点で一致する。
　　
（ウ）構成要件Ｃと構成ｃ-1とを対比する。
　引用発明は、「ユーザによりタッチ操作がなされた表示画面上の位置に選択表示として、予め定めた範囲の選択枠を表示させ」るから、「ユーザによりタッチ操作がなされた表示画面上の位置」を選択する「画像位置選択部」を有するといえる。また、「ユーザによりタッチ操作がなされた表示画面上の位置」を選択することは、「上記表示部に表示された画像の一部の位置を選択する」といい得る。
　したがって、補正後発明と引用発明とは「上記表示部に表示された画像の一部の位置を選択する画像位置選択部」を有する点で一致する。
　　
（エ）構成要件Ｄと構成ｃ-1、ｃ-2、ｃ-3、ｃとを対比する。
　引用発明は、
「ユーザによりタッチ操作がなされた表示画面上の位置に選択表示として、予め定めた範囲の選択枠を表示させ」（構成ｃ-1）、
「選択枠に対してタッチ操作がなされている状態で、スライド操作を行うと、選択枠の範囲を変更し」（構成ｃ-2）、
「選択表示により選択部を選択する」（構成ｃ-3）
ものであり、上記（イ）、（ウ）のとおり、「操作入力検出部」、「画像位置選択部」を有する点で、補正後発明と引用発明とは一致するから、引用発明は、「上記画像位置選択部によって選択された画像位置と、上記操作入力検出部で検出された
情報
　しかしながら、上記操作入力検出部で検出された「
情報
　また、「選択部」は、「画像データにおける主要被写体の領域である」から、「選択された画像領域を主被写体画像領域として認識」しており、引用発明の「制御部」は、「画像識別部」といえる。
　以上まとめると、補正後発明と引用発明とは「上記画像位置選択部によって選択された画像位置と、上記操作入力検出部で検出された情報に基づいて、画像領域を選択し、この選択された画像領域を主被写体画像領域として認識する画像識別部」を有する点で共通する。
　しかしながら、「上記操作入力検出部で検出された情報」が、補正後発明においては、「タッチ位置の２つの位置」であるのに対し、引用発明においてはスライド操作」の情報であり、「画像領域」の「選択」が、補正後発明においては、「予め設定されている形状となるように」選択されるのに対し、引用発明においては、「予め設定されている形状となるように」選択されていない点で相違する。
　　
（オ）構成要件Ｅと構成ｄとを対比する。
　引用発明における「選択部以外の背景部」は、「上記認識された主被写体画像領域を除く領域」といえる。「上記認識された主被写体画像領域
の少なくとも一部
の少なくとも一部
　引用発明における「視認性を低下させる処理」は、補正後発明における「特殊効果画像処理」に相当し、引用発明の「画像処理部」は、「特殊画像処理部」といえる。
　したがって、補正後発明と引用発明とは、「上記認識された主被写体画像領域の少なくとも一部を除く領域に対して特殊効果画像処理を施す特殊画像処理部」を有する点で一致する。
　　
（カ）構成要件Ｆと構成ｅとを対比する。
　上記（オ）のとおり、引用発明の「画像処理部」は、「特殊画像処理部」といえ、引用発明の「ユーザの好みによって背景部の画像データにおけるコントラスト、透明度、彩度等を変更する画像処理を行う」ことは、「特殊効果処理強度を変化させる」ことといえる。また、引用発明における「タッチ操作部の操作を受けて」は、「上記操作入力検出部で検出されたタッチ操作に応じて」といえる。
　したがって、補正後発明と引用発明とは、「上記特殊画像処理部は、上記操作入力検出部で検出されたタッチ操作に応じて特殊効果処理強度を変化させる」点で共通する。
　しかしながら、「上記操作入力検出部で検出されたタッチ操作に応じて」が、補正後発明においては、「上記主被写体画像領域から画面周辺方向へのタッチ操作の圧力および速度の少なくとも１つに応じて」であるのに対し、引用発明においては、「上記主被写体画像領域から画面周辺方向へのタッチ操作の圧力および速度の少なくとも１つに応じ」るものではない点で相違する。
　　
（キ）構成要件Ｇと構成ｆとを対比する。
　引用発明における「撮像装置」は、「表示部」を有しており、画像を表示させるから、「画像表示装置」といい得る。
　したがって、補正後発明と引用発明とは「画像表示装置」として一致する。
　　
イ　一致点、相違点
　以上より、補正後発明と引用発明との一致点、相違点は次のとおりである。
　　
（一致点）
　撮像した静止画または動画の画像を表示する表示部と、
　上記表示部の表示画面上へのタッチ操作によるタッチ位置を検出すると共に、圧力、位置変化、方向、速度の少なくとも１つを検出する操作入力検出部と、
　上記表示部に表示された画像の一部の位置を選択する画像位置選択部と、
　上記画像位置選択部によって選択された画像位置と、上記操作入力検出部で検出された情報に基づいて、画像領域を選択し、この選択された画像領域を主被写体画像領域として認識する画像識別部と、
　上記認識された主被写体画像領域の少なくとも一部を除く領域に対して特殊効果画像処理を施す特殊画像処理部と、
　を有し、
　上記特殊画像処理部は、上記操作入力検出部で検出されたタッチ操作に応じて特殊効果処理強度を変化させる、
　ことを特徴とする画像表示装置。
　　
（相違点１）
　「画像識別部」における「上記操作入力検出部で検出された情報」が、補正後発明においては、「タッチ位置の２つの位置」であるのに対し、引用発明においてはスライド操作」の情報であり、「画像識別部」における「画像領域」の「選択」が、補正後発明においては、「予め設定されている形状となるように」選択されるのに対し、引用発明においては、「予め設定されている形状となるように」選択されていない点で相違する。
　　
（相違点２）
　「特殊画像処理部」における「上記操作入力検出部で検出されたタッチ操作に応じて」が、補正後発明においては、「上記主被写体画像領域から画面周辺方向へのタッチ操作の圧力および速度の少なくとも１つに応じて」であるのに対し、引用発明においては、「上記主被写体画像領域から画面周辺方向へのタッチ操作の圧力および速度の少なくとも１つに応じ」るものではない点
　　
（６）相違点の判断等 
ア　相違点１について
　上記（４）ウ（イ）のとおり、引用文献Ａには、『２つの点を指定することにより円形状の範囲を指定する』技術（以下「引用文献Ａの技術」という。）が記載されている。
　引用文献Ａの技術は、範囲を指定する技術であり、引用発明における範囲を指定する技術に引用文献Ａの技術を適用することは、当業者が容易に着想することである。
　引用文献Ａの技術は、『２つの点を指定することにより円形状の範囲を指定する』技術であって、２つの位置に基づいて予め設定されている形状（円形状）となるように範囲を指定するものであるから、引用発明にこの技術を適用すると、「上記画像位置選択部によって選択された画像位置と、上記操作入力検出部で検出された上記タッチ位置の２つの位置に基づいて、」「予め設定されている」「形状となるように画像領域を選択」するようになる。
　したがって、引用発明に引用文献Ａの技術を適用して、「画像識別部」を「予め設定されている形状と、上記画像位置選択部によって選択された画像位置と、上記操作入力検出部で検出された上記タッチ位置の２つの位置に基づいて、上記形状となるように画像領域を選択」するようにすることは当業者が容易に想到し得ることである。
　　
イ　相違点２について
　上記（４）イ（イ）のとおり、『タッチパネルにおける指の移動速度に応じて制御量を設定する』ことは周知技術である。
　引用発明における「タッチ操作」として、上記周知技術を用いることは当業者が容易に着想することである。
　引用発明に上記周知技術を適用することにより、タッチ操作の速度に応じて特殊効果の強度を変化させることは、当業者が容易に想到し得ることである。また、タッチ操作の方向を、「上記操作入力検出部で検出された上記主被写体画像領域から画面周辺方向」とすることは、設計的事項と認められる。
　したがって、引用発明に上記周知技術を適用して、「特殊画像処理部」を「上記操作入力検出部で検出された上記主被写体画像領域から画面周辺方向へのタッチ操作の圧力および速度の少なくとも１つに応じて特殊効果処理強度を変化させる」ようにすることは、当業者が容易に想到し得ることである。
　　
　そして、補正後発明が奏する効果は、その容易想到である構成から当業者が容易に予測し得る範囲内のものであり、同範囲を超える顕著なものでもない。
　　
　したがって、補正後発明は、引用文献１、引用文献Ａに記載された発明、周知技術に基づいて当業者が容易に発明することができたものであるから、特許法２９条２項の規定により特許出願の際独立して特許を受けることができない。
　よって、本件補正は、特許法第１７条の２第６項において準用する同法第１２６条第７項の規定に違反している。
 　 
３　まとめ 
　したがって、本件補正は、特許法第１７条の２第６項において準用する同法第１２６条第７項の規定に違反するので、同法第１５９条第１項において読み替えて準用する同法第５３条第１項の規定により却下すべきものである。
　よって、補正却下の決定の結論のとおり決定する。
 　 
第３　本願発明について 
１　本願発明 
　平成２８年５月１３日付けの手続補正は、上記のとおり却下されたので、本願の請求項１〜８に係る発明は、平成２７年８月２６日付け手続補正、平成２７年１２月１６日付け手続補正により補正された明細書、特許請求の範囲及び図面の記載からみて、その特許請求の範囲の請求項１〜８に記載した事項により特定されるとおりのものであるところ、請求項１に係る発明は、次のとおりのものである（この発明を以下「本願発明」という。）。
　　
（本願発明）
「（Ａ）撮像した静止画または動画の画像を表示する表示部と、
（Ｂ’）上記表示部の表示画面上へのタッチ操作による圧力、位置変化、方向、速度の少なくとも１つを検出する操作入力検出部と、
（Ｃ）上記表示部に表示された画像の一部の位置を選択する画像位置選択部と、
（Ｄ’）上記画像位置選択部によって選択された画像位置と、上記操作入力検出部で検出された位置変化および方向の少なくとも１つに基づいて選択された画像領域を主被写体画像領域として認識する画像識別部と、
（Ｅ’）上記選択された主被写体画像領域の少なくとも一部を除く領域に対して特殊効果画像処理を施す特殊画像処理部と、
　を有し、
（Ｆ）上記特殊画像処理部は、上記操作入力検出部で検出された上記主被写体画像領域から画面周辺方向へのタッチ操作の圧力および速度の少なくとも１つに応じて特殊効果処理強度を変化させる、
（Ｇ）ことを特徴とする画像表示装置。」
　　
（（Ａ）〜（Ｇ）は、当審で付与した。補正後発明と同じ構成要件は同じ記号とし、異なる構成要件の記号には「’」を付与した。以下各構成要件を「構成要件Ａ」等という。）
　　
２　引用発明、周知技術
　引用文献１、周知技術は、上記第２の２（４）の引用文献１、周知技術と同じであり、引用発明、周知技術は、上記第２の２（４）ア（イ）、イ（イ）を援用する。
　　
３　対比
　本願発明と引用発明とを対比する。
　　
（１）本願発明と補正後発明とは、構成要件Ｂ’、Ｄ’、Ｅ’以外の構成要件は同じであるから、上記第２の２（５）ア（ア）、（ウ）、（カ）、（キ）を援用する。
　　
（２）構成要件Ｂ’と構成ｂとを対比する。
　引用発明の「タッチ操作部」は、「表示部の表示画面上に形成され、接触位置を検出」（構成ｂ）するから、「上記表示部の表示画面上へのタッチ操作を検出する」「操作入力検出部」といえる。
　また、引用発明は、スライド操作を検出できる（構成ｃ-2）から、位置変化を検出できるといえる。
　したがって、補正後発明と引用発明とは「上記表示部の表示画面上へのタッチ操作による圧力、位置変化、方向、速度の少なくとも１つを検出する操作入力検出部」を有する点で一致する。
　　
（３）構成要件Ｄ’と構成ｃ-1、ｃ-2、ｃ-3、ｃとを対比する。
　引用発明は、
「ユーザによりタッチ操作がなされた表示画面上の位置に選択表示として、予め定めた範囲の選択枠を表示させ」（構成ｃ-1）、
「選択枠に対してタッチ操作がなされている状態で、スライド操作を行うと、選択枠の範囲を変更し」（構成ｃ-2）、
「選択表示により選択部を選択する」（構成ｃ-3）
ものであり、「選択枠に対してタッチ操作がなされている状態で、スライド操作を行うと、選択枠の範囲を変更」する（構成ｃ-2）から、「上記操作入力検出部で検出された位置変化および方向の少なくとも１つに基づいて」いるといえ、また、上記第２の２（５）ア（ウ）のとおり、「画像位置選択部」を有する点で、本願発明と引用発明とは一致するから、引用発明は、「画像領域」を「上記画像位置選択部によって選択された画像位置と、上記操作入力検出部で検出された位置変化および方向の少なくとも１つに基づいて選択」するといえる。
　また、「選択部」は、「画像データにおける主要被写体の領域である」から、「選択された画像領域を主被写体画像領域として認識」しており、引用発明の「制御部」は、「画像識別部」といえる。
　したがって、本願発明と引用発明とは「上記画像位置選択部によって選択された画像位置と、上記操作入力検出部で検出された位置変化および方向の少なくとも１つに基づいて選択された画像領域を主被写体画像領域として認識する画像識別部」を有する点で一致する。
　　
（４）構成要件Ｅ’と構成ｄとを対比する。
　引用発明における「選択部以外の背景部」は、「上記選択された主被写体画像領域を除く領域」といえる。「上記選択された主被写体画像領域
の少なくとも一部
の少なくとも一部
　引用発明における「視認性を低下させる処理」は、本願発明における「特殊効果画像処理」に相当し、引用発明の「画像処理部」は、「特殊画像処理部」といえる。
　したがって、本願発明と引用発明とは、「上記選択された主被写体画像領域の少なくとも一部を除く領域に対して特殊効果画像処理を施す特殊画像処理部」を有する点で一致する。
（５）以上より、本願発明と引用発明との一致点、相違点は次のとおりである。
　　
（一致点）
　撮像した静止画または動画の画像を表示する表示部と、
　上記表示部の表示画面上へのタッチ操作による圧力、位置変化、方向、速度の少なくとも１つを検出する操作入力検出部と、
　上記表示部に表示された画像の一部の位置を選択する画像位置選択部と、
　上記画像位置選択部によって選択された画像位置と、上記操作入力検出部で検出された位置変化および方向の少なくとも１つに基づいて選択された画像領域を主被写体画像領域として認識する画像識別部と、
　上記選択された主被写体画像領域の少なくとも一部を除く領域に対して特殊効果画像処理を施す特殊画像処理部と、
　を有し、
　上記特殊画像処理部は、タッチ操作に応じて特殊効果処理強度を変化させる、
　ことを特徴とする画像表示装置。
　　
（相違点）
　「特殊画像処理部」における「上記操作入力検出部で検出されたタッチ操作に応じて」が、補正後発明においては、「上記主被写体画像領域から画面周辺方向へのタッチ操作の圧力および速度の少なくとも１つに応じて」であるのに対し、引用発明においては、「上記主被写体画像領域から画面周辺方向へのタッチ操作の圧力および速度の少なくとも１つに応じ」るものではない点
　　
４　相違点の判断
　上記相違点は、上記第２の２（５）イの相違点２と同じであるので、上記第２の２（６）イの判断を援用する。
　したがって、本願発明は、引用文献１に記載された発明、周知技術に基づいて当業者が容易に発明できたものである。
　　
５　むすび 
　以上のとおり、本願の請求項１に係る発明は、引用文献１に記載された発明、周知技術に基づいて、当業者が容易に発明することができたものであるから、特許法第２９条第２項の規定により特許を受けることができない。
　したがって、請求項２〜８に係る発明について検討するまでもなく、本願は拒絶されるべきものである。
　　
　よって、結論のとおり審決する。